(57)【要約】【課題】  公知のマニピュレーターの問題は、部品及び連結の数が膨大で、それらを極めて高精度に機械加工しなければならないことである。【解決手段】  本発明によるマニピュレーターは：  ベースに据付ける少なくとも３個のナノアクチュエーター、ここで各ナノアクチュエーターは先端を有し、少なくとも３個の先端はＹ−Ｚ平面を定義し、各先端はベースに対してＹ−Ｚ平面において移動することができ；  ナノアクチュエーターの先端に接触するプラットフォーム；及び  プラットフォームをナノアクチュエーターの先端に対して押し付けるクランプ手段；を更に含むことを特徴とし、結果としてナノアクチュエーターはプラットフォームをベースに対してＹ−Ｚ平面において回転させることができ、かつ、プラットフォームをＹ−Ｚ平面に平行に移動させることができる。【選択図】図１A
2009099568.tif 000002
【特許請求の範囲】
【請求項１】
部品をサブミクロン解像度でＹ−Ｚ平面に平行に位置決めするための、及び、前記部品を前記Ｙ−Ｚ平面で回転させるための、電動マニピュレーターであって、前記マニピュレーターは：
ベース；及び
前記部品を前記マニピュレーターに取付けるための試料取付手段；
を含み、前記マニピュレーターは：
前記ベースに据付ける少なくとも３個のナノアクチュエーター、ここで各ナノアクチュエーターは先端を有し、少なくとも３個の前記先端は前記Ｙ−Ｚ平面を定義し、各先端は前記ベースに対して前記Ｙ−Ｚ平面において動くことができ；
前記ナノアクチュエーターの前記先端に接触するプラットフォーム；及び
前記プラットフォームを前記ナノアクチュエーターの前記先端に対して押し付けるクランプ手段；
を更に含むことを特徴とし、結果として前記ナノアクチュエーターは前記プラットフォームを前記ベースに対して前記Ｙ−Ｚ平面において回転させることができ、かつ、前記プラットフォームを前記Ｙ−Ｚ平面に平行に移動させることができる、マニピュレーター。
【請求項２】
前記ナノアクチュエーターを、前記ベースに代えて、前記プラットフォームに据付ける、請求項１に記載のマニピュレーター。
【請求項３】
前記クランプ手段は、ばねで留めたカウンターベースの形を取り、前記カウンターベースは前記プラットフォームに対して、前記プラットフォームが前記先端と接触する側の反対側を押し付ける、請求項１又は請求項２に記載のマニピュレーター。
【請求項４】
前記カウンターベースは、少なくとも３個のナノアクチュエーターを含む第２の集合を備え、前記カウンターベースのナノアクチュエーターの前記第２の集合の各々は先端を有し、ナノアクチュエーターの前記第２の集合の各先端は、Ｙ方向及びＺ方向に動くことができ、前記プラットフォームは、前記ばねの荷重によってナノアクチュエーターの前記第２の集合の前記先端に接触し続け、かつ、前記マニピュレーターは、前記Ｙ−Ｚ平面における前記ベースと前記カウンターベースとの相対位置を実質的に固定するように備える、請求項３に記載のマニピュレーター。
【請求項５】
前記プラットフォームは１つ以上の滑らかな表面を有し、前記ナノアクチュエーターの前記先端の各々は前記１つ以上の滑らかな表面の１つと接触し、前記先端の各々は前記プラットフォームの前記１つ以上の滑らかな表面に対して移動するように備える、請求項１乃至４のうち何れか１項に記載のマニピュレーター。
【請求項６】
前記プラットフォームの前記１つ以上の滑らかな表面における前記移動は、前記プラットフォームの前記１つ以上の滑らかな表面において前記先端を滑らせる形を取る、請求項５に記載のマニピュレーター。
【請求項７】
副マニピュレーターを前記プラットフォームに据付け、前記副マニピュレーターは前記プラットフォームに対して前記試料取付手段を動かすように備え、かつ、前記試料取付手段は前記部品を前記副マニピュレーターに取り付ける、請求項１乃至６のうち何れか１項に記載のマニピュレーター。
【請求項８】
前記副マニピュレーターは追加的な自由度で前記部品の位置決めを行うように備える、請求項７に記載のマニピュレーター。
【請求項９】
前記ナノアクチュエーターは圧電ナノアクチュエーターである、請求項１乃至８のうち何れか１項に記載のマニピュレーター。
【請求項１０】
前記ベースの少なくとも部分、前記ナノアクチュエーター、前記プラットフォーム、前記クランプ手段及び前記試料取付手段は、真空において暴露され操作されるように備える、請求項１乃至９のうち何れか１項に記載のマニピュレーター。
【請求項１１】
前記真空は粒子―光装置の内部の真空であり、前記粒子―光装置は、粒子ビームを生成するための粒子源及び１つ以上の粒子―光レンズを含み、前記粒子源及び前記粒子―光レンズの各々は、前記粒子ビームが沿って通ってもよい粒子―光軸を中心に取り巻く、請求項１０に記載のマニピュレーター。
【請求項１２】
前記粒子―光装置は電子顕微鏡である、請求項１１に記載のマニピュレーター。
【請求項１３】
前記マニピュレーターは前記粒子ビームを通すために、前記ベースに貫通孔を備え、かつ、前記プラットフォームに貫通孔を備え、前記粒子ビームは粒子―光軸に沿って進む、請求項１１又は請求項１２に記載のマニピュレーター。
【請求項１４】
前記粒子―光軸は前記Ｙ−Ｚ平面に実質的に垂直である、請求項１３に記載のマニピュレーター。
【請求項１５】
前記粒子―光軸は前記Ｙ−Ｚ平面に実質的に平行である、請求項１１又は請求項１２に記載のマニピュレーター。
【請求項１６】
前記部品は粒子―光部品である、請求項１１乃至１５のうち何れか１項に記載のマニピュレーター。
【請求項１７】
前記部品は試料保持器であり、前記マニピュレーターは前記試料保持器を動かすように備える、請求項１１乃至１５のうち何れか１項に記載のマニピュレーター。
【請求項１８】
請求項６に記載のマニピュレーターを操作する方法であって：
１つ以上の先端を、前記１つ以上の滑らかな表面において前記先端が滑らないように十分低速で動かす工程；及び
前記１つ以上の先端を、前記１つ以上の滑らかな表面において前記１つ以上の先端が滑るように十分高速で動かし、これにより前記１つ以上の先端を前記プラットフォームに対して再位置決めする工程；
を繰り返し実行することを含み、結果として、前記プラットフォームに対して前記先端の再位置決めをしない場合に達成できるよりも大きな、距離又は回転の角度を、前記ベースに対して前記プラットフォームは動く、方法。
【発明の詳細な説明】
【技術分野】
【０００１】
本発明は、サブミクロン解像度でＹ−Ｚ平面に平行に部品を位置決めするための、及び、部品をＹ−Ｚ平面で回転させるための、電動マニピュレーターに関する。マニピュレーターは、ベース及び、部品をマニピュレーターに取り付けるための手段を含む。
【背景技術】
【０００２】
技術分野に記載のマニピュレーターの一例は特許文献１に記載されている。
【０００３】
この周知のマニピュレーターは、透過型電子顕微鏡（以下「ＴＥＭ」という。）で試料の形態を取る部品を、位置を決め方向を決めるために用いる。このマニピュレーターは、マニピュレーターを据付けるＴＥＭのハウジングを突き抜ける、支持アームのハウジングを含む。支持アームのハウジングの一端は、それにより装置の内部に位置し、従って周囲は真空である。他方、もう一端は大気に曝されている。漏出を防ぐために、支持アームのハウジングはＯリングシールを有し、それがＴＥＭのハウジングを貫通し、それによりＴＥＭの内部を大気から密閉する。
【０００４】
支持アームのハウジングは端から端まで穴を有する。この穴に試料保持器を据付ける。試料保持器は、両端の間にボールジョイントが位置するロッドを含む。一端はＴＥＭの真空中に位置し、他方もう一端は大気に曝されている。ボールジョイントは支持アームのハウジングの穴に密接に適合し、Ｏリングシールを有し、それによりＴＥＭの内部を大気から密閉する。ボールジョイントにより、ロッドが支持アームのハウジングに対して様々な自由度で動くことができる。ＴＥＭの内部のロッドの端は、試料を置くＴＥＭ試料グリッドを保持するように備え、他方もう一端は電動駆動部に接続される。真空中に位置するロッドの遠位端をＸ−Ｙ平面（ＴＥＭの粒子ー光軸に垂直である）で動かすことにより、その平面で試料保持器を平行移動させることになり、他方そのロッドを軸に沿って回転させることにより、その平面で試料保持器を回転させることになる。これによりＴＥＭの内部に位置する試料の位置と向きとを、外部から電動駆動部により定めることが可能になる。
【０００５】
当業者には周知の通り、ＴＥＭは電子の形態の粒子のビームを用いる。電子ビームは、典型的には80keVと30keVとの間のエネルギーを有し、粒子―光軸に沿って進む。電子ビームは、例えば、粒子―光レンズによって焦点を合わせられ、かつ、例えば、粒子―光偏向器によって偏向される。
【０００６】
薄い試料（標本とも呼ばれる）は、厚さが典型的には50nmと100nmとの間であり、粒子―光軸に置かれ、電子によって照射される。電子のうちいくらかは試料を貫通し、検出器で結像する。市販のＴＥＭは今日0.1nm未満の空間分解能を達成することもある。
【０００７】
このような分解能は、撮像に必要な時間の間、試料が粒子―光軸に対して0.1nmの範囲内で静止している場合にのみ達成可能である。粒子―光軸に対する試料のいかなる移動も（例えば熱ドリフトにより、又は例えば試料を保持するマニピュレーターの音響振動により）像を劣化させてしまう。撮像は典型的には数秒間から数分間の間かかる。粒子―光軸に対するマニピュレーターの安定性への要求は、従って極めて厳格である。
【０００８】
極めて高倍率の場合、視野（ＦｏＶ）は極めて狭い。例えば50x50nm^2である。この倍率で試料の位置決めをするときに、像がちょっとでも動くのを避けるのは大仕事である。試料の最小移動量を極めて小さくしなければならないのみではない。移動も極めて滑らかに行わなければならない。更に残留移動や振動といった、移動後のいかなる反発や余効も最小でなければならない。
【０００９】
電子顕微鏡の解像度は、一つ以上の粒子―光レンズの球面収差及び／又は色収差を補正する粒子―光補正器の導入により急激に進歩している。最適な状況下では0.05nm未満の分解能を達成する市販機器が入手可能である。その結果、マニピュレーターの機械的安定度に対する要求はより厳しくなりつつある。
【特許文献１】米国特許第6,388,262号
【発明の開示】
【発明が解決しようとする課題】
【００１０】
特許文献１に記載のマニピュレーターの問題は、部品及び連結の数が膨大で、それらを極めて高精度に機械加工しなければならないことである。従って、かかるマニピュレーターは高価である。また、摩擦及び／又は遊びを生じる部品（例えばＯリングシール）の数が多いために、かかるマニピュレーターを構築する際に、動作に要求される安定度と滑らかさを保ちながら余効を排除するのは困難である。電動機は小さな動きをする際に摩擦を克服しなければならないので、摩擦により動作がひっかかる可能性があり、結果としてスティックスリップ効果が生じる。部品同士の間の遊びは位置決めの精度を悪化させる可能性がある。
【００１１】
関連する問題は、ロッドの長さ、結合の数及びＯリングシールの数により、装置のハウジング（従って粒子―光軸も）と試料を置く側の端との間の結合が柔らかくなってしまうことである。当業者には周知の通り、振動の効果を減殺する際には、部品同士の間は（柔軟な結合に対して）剛性の高い結合のほうが好まれる。
【００１２】
前述のマニピュレーターの別な問題は、マニピュレーターの一部が装置の外に突き出てしまうことである。従って、空調や周辺温度の変化等による装置の外部の気圧の変化によって、真空中の取付機構の位置が変化してしまう可能性があり、これにより試料に好ましくない動きが生じる可能性がある。
【００１３】
前述の問題点を改良したマニピュレーターが必要である。
【課題を解決するための手段】
【００１４】
本願に記載し請求する本発明は一部米国エネルギー省の資金提供（契約番号DE-AC02-05CH11231）を用いた。米国政府は本発明に一定の権利を有する。
【００１５】
前述の課題を解決するために、本発明によるマニピュレーターは：
前記ベースに据付ける少なくとも３個のナノアクチュエーター、ここで各ナノアクチュエーターは先端を有し、少なくとも３個の前記先端は前記Ｙ−Ｚ平面を定義し、各先端は前記ベースに対して前記Ｙ−Ｚ平面において移動することができ；
前記ナノアクチュエーターの前記先端に接触するプラットフォーム；及び
前記プラットフォームを前記ナノアクチュエーターの前記先端に対して押し付けるクランプ手段；
を更に含むことを特徴とし、結果として前記ナノアクチュエーターは前記プラットフォームを前記ベースに対して前記Ｙ−Ｚ平面において回転させることができ、かつ、前記プラットフォームを前記Ｙ−Ｚ平面に平行に移動させることができる。
【００１６】
この文脈において、ナノアクチュエーターは、ナノメートル及びナノメートル未満の規模の分解能で動作を実現することができるアクチュエーターである。かかるナノアクチュエーターは市販されている。例えばPhysik  Instrumente  GmbH  &  Co.  KG,  Karlsruhe/Palmbach,  Germanyのtype  P-112.03  (カタログ  “High  performance  piezo  actuators  for  OEM,  Industry  and  research”、カタログ番号118  05/09.17  (09/2005)、1-24及び1-25頁に記載）。
【発明を実施するための最良の形態】
【００１７】
先端をＹ−Ｚ平面において同一の方向に移動することにより、プラットフォームをベースに対して平行移動できる。３個のナノアクチュエーターが位置する円の接線方向に、先端が時計回りの方向に移動すると、その円の中心に対する時計回りの回転が生じる。先端が反時計回りの方向に移動すると、反時計回りの回転が生じる。本発明によるマニピュレーターは、従って、自由度３を提供する。平行移動２と回転移動１である。
【００１８】
可動部品の数が少ないので、高い剛性のマニピュレーターを実現できる。ナノアクチュエーター自体を除き、互いに移動する部品は無い。（ただし先端に対するプラットフォームの垂直抗力は、先端とプラットフォームとの界面の最大摩擦力より大きいものとする。さもなくば滑ってしまう。）従って、遊び及びスティックスリップの効果を排除する。
【００１９】
当業者には周知の通り、ナノアクチュエーターは極めて剛性を高くできる。ピエゾ(圧電)アクチュエーターという型は互いに移動する表面を持たない。代わりに、圧電セラミック材料の屈曲又は剪断を利用する。互いに移動する表面を持たないことにより、余効を排除し、他方、高い剛性により、例えば(音響的)振動に関する性能を向上させる。
【００２０】
アクチュエーターは装置の内部（真空）に配置できるので、機械的な真空貫通接続は不要であり、従ってＯリングを排除してもよい。
【００２１】
これにより、剛性の高い結合を有し、反発、摩擦及び／又は遊びの無いマニピュレーターとなる。また、環境が装置に及ぼす影響（例えば周辺温度の変化や気圧の変動）を大きく減らす。
【００２２】
クランプ手段は、プラットフォームの表面を先端に対して十分な力で押し付けねばならないことに注意。表面に先端を押し付ける、表面に対する垂直抗力は、先端と表面との間の摩擦係数とともに、表面と先端との間の滑りが起こるまでの最大の力を決定する。従って、クランプの力を十分大きく選ばなければならない。これにより、ベースに対してプラットフォームの動きを開始又は終了する際に、例えば振動及びプラットフォームに必要な加速の結果生じる、望まれない加速による滑りを回避する。
【００２３】
本発明を図面を用いて更に説明する。図面において同一の参照番号は対応する要素を示す。
【実施例１】
【００２４】
図１Ａ及び図１Ｂに概略を示すのは本発明によるマニピュレーターの実施例であり、ナノアクチュエーターの１つの集合を用いる。
【００２５】
図１Ａはベース２を示す。ベース２に３個のナノアクチュエーター３ａ、３ｂ及び３ｃを据付ける。これらナノアクチュエーターの各々は、それぞれ先端４ａ、４ｂ及び４ｃを有する。プラットフォーム５は、ばね６の形のクランプ手段によって、これらの先端に対して押し付けられている。ばねの一端はベースの凹部７の縁８に連結し、もう一端はプラットフォームの縁１８に連結する。プラットフォームから、ロッド９がプラットフォームに垂直に伸び、プラットフォームから遠い端はクランプ手段である試料取付手段３０で終わる。
【００２６】
図１Ｂはマニピュレーターのベースの上面図である。即ち、プラットフォームが通常ナノアクチュエーターに乗る側面から見た図である。図１Ｂはナノアクチュエーターの相互の位置及びばねを据付ける位置を示す。図示の通り、ナノアクチュエーターは円Ｃに沿って間隔を空けて配置する。
【００２７】
図１Ａ及び図１Ｂから明らかな通り、同一方向への（Ｙ−Ｚ平面における）ナノアクチュエーターの動きは、その方向へプラットフォームを平行移動することになる。先端を円Ｃに沿って時計回りの方向に動かすと、プラットフォームは円の中心の回りを時計回りの方向に回転することになる。当業者には明らかになる通り、双方の動きの組み合わせで、プラットフォームは平行移動と回転との結合した動きをする。
【００２８】
先端の速度を遅くすることによって、即ち、最大摩擦力を決して超えないような速度に落とすことによって、先端はプラットフォームの表面の１つの位置に留まることになる。先端の速度を速くする場合には、即ち、横力が最大（静止）摩擦力を超える速度になると、先端は表面を滑る。力が動摩擦力よりも小さくなると、滑りは止まることになり、先端はプラットフォームで再位置決めされることになる。滑りが起こる速度は、滑らかな表面に対するナノアクチュエーターの垂直抗力、この二つの間の摩擦係数、及びプラットフォームの慣性に依存することに注意。
【００２９】
適切なナノアクチュエーター（例えば前述のPhysik  Instrumente  GmbH  &  Co.のP-112.03）を用いることにより、1nm未満の最小移動量を実現することが可能であり、同時に2mmを超える往復移動距離及び360度を超える回転が達成できる。かかるナノアクチュエーターは、真空中で及び液体ヘリウム温度で動作することも可能である。これによりマニピュレーターを例えば所謂極低温ＴＥＭ（即ち試料を極低温で保持するＴＥＭ）に適用することが可能となる。
【００３０】
試料取付手段及びそれらと関連し協同する試料運搬器はそれ自体周知であることに注意。一例が欧州特許出願EP06114632に記載されている。本マニピュレーターと共に使ってもよい試料取付手段の他の実施例はFEI  Company,  Hillsboro,  USAのPolara（商標）のようなＴＥＭのいくつかから周知である。
【実施例２】
【００３１】
図２に概略を示すのは本発明によるマニピュレーターの別の実施例であり、ナノアクチュエーターの２つの集合を用いる。
【００３２】
図２は図１Ａから派生したと考えることができる。図１でクランプ手段がばねの形を取っていたところ、図２のクランプ手段は、ベルビルワッシャー１６の集合でばね留めしたカウンターベース１２を含む。カウンターベースはナノアクチュエーター１３ａ、１３ｂ及び１３ｃの第２の集合によってプラットフォームに対して押し付けられており、それによってプラットフォームはナノアクチュエーターの２つの集合の間でクランプされている。これらナノアクチュエーターの第２の集合の各々は、それぞれ先端１４ａ、１４ｂ及び１４ｃを有する。対応するナノアクチュエーターを一緒に（よって３ａを１３ａと一緒に、等）同一の方向に同一の大きさで動かすことにより、ベースとカウンターベースは互いに対して静止しながら、プラットフォームはその２つの間で移動する。
【実施例３】
【００３３】
図３に概略を示すのは本発明によるマニピュレーターのまた別の実施例であり、ベースとプラットフォームとにおける貫通孔により粒子ビームがマニピュレーターを貫通することができる。
【００３４】
図３は図２から派生したと考えることができる。図３ではロッド９を削除し、貫通孔４１をプラットフォーム５に形成する。貫通孔４２ａ、４２ｂ及び４２ｃはベースに形成する。これらの貫通孔４１、４２ａ、４２ｂ及び４２ｃにより、粒子ビームが粒子―光軸１１に沿ってマニピュレーターを貫通して通ることが可能となる。
【００３５】
図３にはまた、プラットフォームに据付ける副マニピュレーター４０の概略を示す。これにより試料取付手段３０を、図１Ａ、図１Ｂ及び図２に示すマニピュレーターが提供する自由度３（平行移動２と回転移動１）よりも多い自由度で位置決めすることができる。
【００３６】
ベース２の側壁の更なる貫通孔４３によって、試料又は試料運搬器を試料取付手段３０に導入することが可能となる。
【００３７】
マニピュレーターの本実施例を、いくつかのＴＥＭで用いられているトップエントリーステージのマニピュレーターに類似の方法で据付けてもよい。即ち、磁気レンズの磁極片近傍に据付ける。
【００３８】
副マニピュレーターはそれ自体周知であることに注意。本発明によるマニピュレーターの部分として用いてもよい副マニピュレーターの例は、２００７年９月２６日に出願された出願係属中の米国特許出願第１１／８６１７２１号に記載されている。
【００３９】
マニピュレーターは、例えばＴＥＭで用いる真空中で使えるように構成してもよい。この真空は典型的には１０−６ｈＰａ〜１０−９ｈＰａの間の真空であるが、より高い又はより低い圧力でもよい。
【００４０】
マニピュレーターはまた、極低温に保たれる試料取付手段及び試料保持器の双方と共に使えるように構成してもよい。極低温とは例えば液体窒素や液体ヘリウムの温度である。又は、高温（例えば摂氏３００度）に保たれる試料取付手段及び試料保持器の双方と共に使えるように構成してもよい。
【実施例４】
【００４１】
図４Ａ及び図４Ｂに概略を示すのは、本発明によるマニピュレーターの組立図（図４Ａ）及び分解図（図４Ｂ）である。
【００４２】
ベースはハウジング４０２、トッププレート４０１及びボトムプレート４０３を含み、マニピュレーターの外装を形作る。ナノアクチュエーター４０４の１つの集合がベース（ボトムプレート）に据付けられており、プラットフォーム４０５をベースに対して動かす。プラットフォーム４０５の貫通孔の中に、副マニピュレーター４０６を取付ける。副マニピュレーター４０６は、試料取付手段４０７により試料又は試料保持器を保持することができる。ナノアクチュエーター４０９の第２の集合は、カウンターベース４０８に据付けられ、ベースの反対側に接触し、それによってプラットフォーム４０５がナノアクチュエーターの２つの集合４０４、４０９の間でクランプされるようになる。ナノアクチュエーターの第２の集合は、２個のボール４１１経由でばね４１０によってベースに押し付けられている。このばねは、２個のボール４１２経由でベースのトッププレート４０１によってベースに向けて力をかけている。ボールの２つの集合４１１と４１２は互いに９０度離れて配置しているので、ばね４１０と共に、カルダンばねアセンブリーを形成する。これにより全てのアクチュエーターが同じ力を受けることを保証する。ねじ４１３は、ばね４１０の力を調整するために用いる。これによりアクチュエーターの受ける力を調整する。
【００４３】
通常の使用（即ち、ベースに対する変位が通常の範囲である場合）において、プラットフォーム４０５はハウジング４０２に接触しないことに注意。
【実施例５】
【００４４】
図５に概略を示すのは本発明によるマニピュレーターを備えるＴＥＭである。
【００４５】
図５において、粒子源５０１は粒子―光軸５００を中心として進む電子ビームを生成する。粒子源は電子機器（図示していない）に繋がる高圧線５２４によって電力を供給される。電子機器は粒子源の操作のために適切な電圧と電流を供給する。電子ビームは、例えば粒子―光偏向器５０２によって、粒子―光軸を中心に収束する。ダイアフラム５０３はビームを制限する絞りの役割を果たすアパーチャーを備える。粒子―光レンズ５０４は、電子ビームを対物レンズ５０５に送る集約器の役割を果たす。試料保持器５１１に据付けた試料を粒子ビームで照射すると、一部の電子が試料を通過する。試料を通過した電子を粒子―光レンズ５０６によって検出器５０７に結像させる。検出器５０７は例えば蛍光スクリーン又はＣＣＤカメラでありうる。蛍光スクリーンを用いる場合は、像をガラス窓５０８を通して見てもよい。
【００４６】
電子顕微鏡の内部は真空壁５２０で囲まれており、真空ポンプ５２２によって、真空コネクション５２１経由で排気する。
【００４７】
標本保持器を位置決めするために、本発明によるマニピュレーター５０９を用いる。マニピュレーター５０９には副マニピュレーター５１０を据付け、自由度を増す。エアロック５１２により、試料保持器に据付けた試料を真空になったＴＥＭの内部に導入することができ、試料保持器を副マニピュレーターに据付けることができる。
【実施例６】
【００４８】
本発明によるマニピュレーターの１実施例においては、ナノアクチュエーターはベース２ではなくプラットフォーム５に据付ける。これはナノアクチュエーターの代わりの位置である。
【実施例７】
【００４９】
本発明によるマニピュレーターの別の実施例においては、クランプ手段は、ばねで留めたカウンターベース１２の形を取る。カウンターベースは、プラットフォームに対して、プラットフォームが先端４ａ、４ｂ及び４ｃと接触する側の反対側を押し付ける。
【実施例８】
【００５０】
本発明によるマニピュレーターの更なる実施例においては、カウンターベース１２は少なくとも３個のナノアクチュエーター１３ａ、１３ｂ及び１３ｃを含む第２の集合を備える。カウンターベースのナノアクチュエーターの第２の集合の各々は、先端１４ａ、１４ｂ及び１４ｃを有し、ナノアクチュエーターの第２の集合の先端の各々はＹ方向とＺ方向に動くことができ、プラットフォームはばねの荷重によってナノアクチュエーターの第２の集合の先端に接触し続けており、マニピュレーターは、Ｙ−Ｚ平面におけるベース２とカウンターベース１２との相対位置を実質的に固定するように備えている。
【実施例９】
【００５１】
本発明によるマニピュレーターの別の実施例においては、プラットフォーム５は１つ以上の滑らかな表面を有し、ナノアクチュエーター３ａ、３ｂ、３ｃ、１３ａ、１３ｂ及び１３ｃの先端４ａ、４ｂ、４ｃ、１４ａ、１４ｂ及び１４ｃの各々は１つ以上の滑らかな表面の１つと接触し、先端の各々はプラットフォームの１つ以上の滑らかな表面に対して移動するように備えている。
【００５２】
本実施例においては、先端の各々は滑らかな表面でプラットフォームと接触する。各々の先端はそれに対応する滑らかな表面を有してもよく、又は複数の先端が共通の滑らかな表面を共有してもよい。
【実施例１０】
【００５３】
本発明によるマニピュレーターの好適な実施例においては、プラットフォーム５の１つ以上の滑らかな表面における移動は、プラットフォームの１つ以上の滑らかな表面において先端４ａ、４ｂ、４ｃ、１４ａ、１４ｂ及び１４ｃを滑らせる形を取る。
【００５４】
滑らかな表面において先端を滑らせることにより、先端をプラットフォームに対して再位置決めをすることができる。その結果、この好適な実施例において達成できる平行移動及び／又は回転は、プラットフォームに対して先端を再位置決めをしない場合よりも大きい。
【００５５】
滑らかな表面において先端を滑らせることは、滑らかな表面の面に平行な、先端と滑らかな表面との間の滑らせる力が、この２つの間の最大静止摩擦力を超える場合に起こる。これは先端に素早い変位を起こさせることによって実現される。これは次の形を取ってもよい：全ての先端を同時に滑らせる；先端の第１の集合からの先端の１つと、先端の第２の集合の対応する先端とを滑らせる；又は一時には１つの先端のみを対応する滑らかな表面において滑らせる。プラットフォームの慣性により、プラットフォームは簡単には動かない。先端の再位置決めを完了した後は、先端及びプラットフォームは高い剛性を有し、プラットフォーム及びベースのいかなる残留移動も減殺する。
【００５６】
少数の先端が同時に再位置決めする場合には、残りの先端がプラットフォームを動かないように保持でき、再位置決めの最中ですら、ベースとプラットフォームとの間で剛性の高い結合を維持できることに注意。当業者が認識することになる通り、同時に少数の先端を再位置決めしつつ、残りの多数の先端でプラットフォームを動かすことによって、プラットフォームの定常移動を維持することも可能である。
【実施例１１】
【００５７】
本発明によるマニピュレーターの別の実施例においては、副マニピュレーター４０をプラットフォーム５に据付ける。この副マニピュレーターはプラットフォームに対して試料取付手段３０を動かすように備えており、試料取付手段は部品を副マニピュレーターに取り付ける。
【００５８】
かかる副マニピュレーターは、例えば２００７年９月２６日に出願された出願係属中の米国特許出願第１１／８６１７２１号に記載されている。
【実施例１２】
【００５９】
本発明によるマニピュレーターの更なる実施例においては、副マニピュレーター４０は追加的な自由度に沿った部品の位置決めを行うように備える。
【００６０】
副マニピュレーターを本発明によるマニピュレーターに据付けることによって、部品を専らマニピュレーターに取り付ける場合に比べて、部品を追加的な自由度で位置決めを行ってもよい。
【実施例１３】
【００６１】
本発明によるマニピュレーターの別の実施例においては、ナノアクチュエーター３ａ、３ｂ、３ｃ、１３ａ、１３ｂ及び１３ｃは圧電ナノアクチュエーターである。
【実施例１４】
【００６２】
本発明によるマニピュレーターの尚別の実施例においては、ベース２の少なくとも部分、ナノアクチュエーター３ａ、３ｂ、３ｃ、１３ａ、１３ｂ及び１３ｃ、プラットフォーム５、クランプ手段１６及び試料取付手段３０は、真空において暴露され操作されるように備える。
【００６３】
真空中にマニピュレーターを据付けることにより、試料や試料保持器のような部品の位置を決定する試料取付手段に対する、環境から伝達される影響を最小限に留める。
【実施例１５】
【００６４】
本発明によるマニピュレーターの更なる実施例においては、真空は粒子―光装置の内部の真空である。この粒子―光装置は、粒子ビームを生成するための粒子源及び１つ以上の粒子―光レンズを含む。この粒子源及び粒子―光レンズの各々は、粒子ビームが沿って通ってもよい粒子―光軸を中心に取り巻く。
【００６５】
マニピュレーターを透過型電子顕微鏡（ＴＥＭ）、走査型透過電子顕微鏡（ＳＴＥＭ）、走査型電子顕微鏡（ＳＥＭ）、又は収束イオンビーム（ＦＩＢ）装置のような粒子―光装置の内部に据付けることにより、部品を、かかる装置で用いる粒子ビームに対して位置決めできる。この部品は試料又は試料保持器であってよいが、同様に、粒子―光軸を中心に整列しなければならないアパーチャー又はマルチポールのような粒子―光部品であってもよい。
【実施例１６】
【００６６】
本発明によるマニピュレーターのまた更なる実施例においては、粒子―光装置は電子顕微鏡である。
【００６７】
このマニピュレーターは、ＴＥＭやＳＴＥＭのような高分解能の粒子―光装置においてはとりわけ有用である。
【実施例１７】
【００６８】
本発明によるマニピュレーターの尚更なる実施例においては、マニピュレーターは粒子ビームを通すために、ベース２に貫通孔４２ａ、４２ｂ及び４２ｃを備え、かつ、プラットフォーム１２に貫通孔４１を備える。
【００６９】
マニピュレーターに（例えばプラットフォームとベースの中心に）貫通孔を備え、貫通孔を粒子―光軸１１（それに沿って粒子が進む）が貫通するような仕方で貫通孔を整列することにより、部品を粒子―光軸を中心に取り巻いて配置することができる。部品が試料保持器であれば、これはいくつかのＴＥＭで用いられている所謂トップエントリーステージに類似する。この実施例は、装置の粒子―光軸の回りにアパーチャー、ゾーンプレート、又はマルチポールのような粒子―光要素を位置決めする際にとりわけ魅力的でありうる。
【実施例１８】
【００７０】
本発明によるマニピュレーターの尚更なる実施例においては、粒子―光軸１１はＹ−Ｚ平面に実質的に垂直である。
【００７１】
この実施例においては、プラットフォームと粒子―光軸とは、部品が粒子―光軸に垂直な平面に位置決めされる（平行移動され回転される）ことができるような仕方で整列する。マニピュレーターのこの配置は、多くのＴＥＭで用いられている所謂サイドエントリー試料保持器に類似する。
【実施例１９】
【００７２】
本発明によるマニピュレーターの別の実施例においては、部品は粒子―光部品である。
【００７３】
この部品は例えば所謂アパーチャー、フェーズプレート、又は例えばマルチポールであってもよい。
【実施例２０】
【００７４】
本発明によるマニピュレーターの尚別の実施例においては、部品は試料保持器であり、マニピュレーターは試料保持器を動かすように備える。
【実施例２１】
【００７５】
本発明の１観点においては、本発明によるマニピュレーターを操作する方法は、次の工程を繰り返し実行することを特徴とする：
１つ以上の先端４ａ、４ｂ、４ｃ、１４ａ、１４ｂ及び１４ｃを、１つ以上の滑らかな表面においてその先端が滑らないように十分低速で動かす工程；及び
１つ以上の先端を、１つ以上の滑らかな表面において１つ以上の先端が滑るように十分高速で動かし、これにより１つ以上の先端をプラットフォーム５に対して再位置決めする工程。
【００７６】
その結果、プラットフォームに対して先端の再位置決めをしない場合に達成できるよりも大きな、距離又は回転の角度を、ベース２に対してプラットフォームは動く。
【図面の簡単な説明】
【００７７】
【図１Ａ】図１Ａは、ナノアクチュエーターの１つの集合を用いる、本発明によるマニピュレーターの実施例の概略図である。
【図１Ｂ】図１Ｂは、ナノアクチュエーターの１つの集合を用いる、本発明によるマニピュレーターの実施例の概略図である。
【図２】ナノアクチュエーターの２つの集合を用いる、本発明によるマニピュレーターの別の実施例の概略図である。
【図３】ベースとプラットフォームとにおける貫通孔により粒子ビームがマニピュレーターを貫通できる、本発明によるマニピュレーターのまた別の実施例の概略図である。
【図４Ａ】本発明によるマニピュレーターの概略組立図である。
【図４Ｂ】本発明によるマニピュレーターの概略分解図である。
【図５】本発明によるマニピュレーターを備えるＴＥＭの概略図である。
【図１Ａ】
2009099568.tif 000003
【図１Ｂ】
2009099568.tif 000004
【図２】
2009099568.tif 000005
【図３】
2009099568.tif 000006
【図４Ａ】
2009099568.tif 000007
【図４Ｂ】
2009099568.tif 000008
【図５】
2009099568.tif 000009